(57)【要約】【課題】側溝への固定ロック構造が簡単で、側溝の敷設作業性にも優れ、またどのような溝幅の側溝の吊り上げにも対応できる、使い勝手のよい吊り金具を提供する。【解決手段】吊り金具１は軸部２、偏心貫通孔３、曲げシャフト５、偏心輪６及びワイヤ引っ掛け部９からなり、軸部２はＵ字溝５０の内側からその側壁の横孔に挿入され、偏心貫通孔３は、軸部２の軸心に対し偏心して設けられるとともに、該軸部２の前後両端面を貫通するように形成され、曲げシャフト５は、偏心貫通孔３に挿入できる程度に曲げられ、かつ、該偏心貫通孔３に回転可能に挿入され、偏心輪６は、軸部２の前端面から突出している曲げシャフト５の先端５ａに、該曲げシャフト５の軸心に対し偏心して取り付けられ、ワイヤ引っ掛け部９は軸部２の後端外周に一体に設けられるものとする。【選択図】  図１
2004307126.tif 000002
【特許請求の範囲】
【請求項１】
Ｕ字溝その他の側溝の内側からその側溝壁の横孔に挿入される軸部と、
上記軸部の軸心に対し偏心して設けられるとともに、該軸部の前後両端面を貫通する偏心貫通孔と、
上記偏心貫通孔に挿入できる程度に曲げられ、かつ、該偏心貫通孔に回転可能に挿入された曲げシャフトと、
上記軸部の前端面から突出している上記曲げシャフトの先端に、該曲げシャフトの軸心に対し偏心して取り付けられた偏心輪と、
上記軸部の後端外周に一体に設けたワイヤ引っ掛け部とを有すること
を特徴とする吊り金具。
【請求項２】
上記曲げシャフトを半回転させると、上記偏心輪の１／３〜１／４程度が上記軸部の片側周面から径方向外側へ張り出し、この状態から上記曲げシャフトをさらに半回転させると、その張り出している偏心輪の部分が内側に引っ込み、該偏心輪と軸部が同径でストレートな棒の形態となることを特徴とする請求項１に記載の吊り金具。
【発明の詳細な説明】
【０００１】
【発明の属する技術分野】
本発明は、Ｕ字溝その他の側溝を吊り上げ敷設する際に用いられる吊り金具に関する。
【０００２】
【従来の技術】
この種の吊り金具としては、例えば特開平６‐１００２８９号公報の図５乃至図７に示す構造のものが知られている。同公報の吊り金具は、一対の圧着板が側溝の内側で広がって該側溝の両側壁に圧着することにより、側溝と吊り金具が固定され、この状態で吊り金具を介し側溝の吊り上げを可能とする構造方式を採用している。
【０００３】
しかしながら、同公報に示されている従来構造の吊り金具によると、これをＵ字溝等の側溝に固定する構造として、複数のリンク材で一対の圧着板を広げて側溝の側壁に圧着させる構造を採っているため、複数のリンク材が交錯し、側溝への吊り金具の固定構造が複雑なものとならざるを得ない。また、その圧着板の広がりの幅より広い溝幅の側溝を吊り上げることができず、使い勝手も悪い。
【０００４】
また、この種の吊り金具としては、上記公報に記載の構造のほか、図５に示す構造の吊り金具も知られている。同図の吊り金具１は、スリーブ２０の外周面にワイヤ引っ掛け部９が設けられるとともに、そのスリーブ２０の一端面と他端面からバネの力でロッド２１‐１、２１‐２が出没自在に突出するように構成されている。
【０００５】
この図５の吊り金具１を用いて例えばＵ字溝５０を吊り上げ敷設する際は、Ｕ字溝５０の両側壁５０ａに横孔５１‐１、５１‐２を開け、この両側の横孔５１‐１、５１‐２にスリーブ２０両端のロッド２１‐１、２１‐２をそれぞれ挿入する。この挿入作業は、スリーブ２０両端から突出しているロッド２１‐１、２１‐２を手でスリーブ２０内に押し込み、この状態で２つの横孔５１‐１、５１‐２間に吊り金具１を配置して手を放す。そうすると、この吊り金具１のスリーブ２０両端からバネの力でロッド２１‐１、２１‐２がそれぞれ突出して横孔５１‐１、５１‐２に入り嵌合する。これにより、吊り金具１はＵ字溝５０に固定されるので、後はその吊り金具１のワイヤ引っ掛け部９にシャックル６１を使ってワイヤ６０を引っ掛ければ、そのワイヤ６０でＵ字溝５０を吊り上げ所定の場所に敷設することが可能となる。
【０００６】
しかしながら、この図５に示す従来構造の吊り金具１によると、次のような問題点がある。
【０００７】
（１）吊り金具１をＵ字溝５０に固定する構造として、少なくとも２つのロッド２１‐１、２１‐２やこれらをスリーブ２０両端から出没自在に突出させるバネを必要とするため、部品点数が多く、Ｕ字溝への吊り金具の固定構造が複雑にならざるを得ない。
【０００８】
（２）吊り金具１をＵ字溝５０に固定するときに、スリーブ２０両端から突出しているロッド２１‐１、２１‐２を手でスリーブ２０内に押し込みながらＵ字溝５０の横孔５１‐１、５１‐２間に吊り金具１全体をセット配置しなければならず、そのような押し込み作業とセット作業を同時に行なう必要がある点で、作業性も悪い。
【０００９】
（３）Ｕ字溝５０内で２つの横孔５１‐１、５１‐２にまたがるようにして吊り金具１が固定される構造であるため、スリーブ２０とロッド２１‐１、２１‐２の長さに相当する溝幅を超える幅の広いＵ字溝を吊り上げることができず、使い勝手が悪い。
【００１０】
【特許文献１】
特開平６‐１００２８９号公報
【００１１】
【発明が解決しようとする課題】
本発明は上記問題点を解決するためになされたもので、その目的とするところは、側溝への固定ロック構造が簡単で、どのような溝幅の側溝の吊り上げにも対応でき、また側溝の敷設作業性にも優れた使い勝手のよい吊り金具を提供することにある。
【００１２】
【課題を解決するための手段】
上記目的を達成するために、本発明は、Ｕ字溝その他の側溝の内側からその側溝壁の横孔に挿入される軸部と、上記軸部の軸心に対し偏心して設けられるとともに、該軸部の前後両端面を貫通する偏心貫通孔と、上記偏心貫通孔に挿入できる程度に曲げられ、かつ、該偏心貫通孔に回転可能に挿入された曲げシャフトと、上記軸部の前端面から突出している上記曲げシャフトの先端に、該曲げシャフトの軸心に対し偏心して取り付けられた偏心輪と、上記軸部の後端外周に一体に設けたワイヤ引っ掛け部とを有することを特徴とするものである。
【００１３】
本発明では、曲げシャフトはその一部の片側周面が偏心貫通孔の内壁に向かって張り出し強く接触する構造となる。従って、その曲げシャフトの張り出しによる接触力を超える強い力が曲げシャフトに加わらない限り、曲げシャフトと偏心輪が容易に回転し動くことはない。
【００１４】
上記接触力を超える強い力で曲げシャフトを回転させると、曲げシャフト先端の偏心輪が軸部の片側周面から径方向外側へ張り出したり、内側に引っ込んだりする。
【００１５】
そして、偏心輪が内側に引っ込んでいる状態において側溝の内側から軸部を該側溝の横孔に挿入した後、曲げシャフトを回転させて偏心輪を軸部の片側周面から径方向外側へ張り出させると、この張り出した偏心輪がストッパーとなって軸部を含む吊り金具全体が側溝から脱落するのを防止する。
【００１６】
このときも、曲げシャフトと偏心貫通孔との間には上述した強い接触力が生じているから、曲げシャフトと偏心輪が容易に回転し動くことはなく、偏心輪は軸部の片側周面から径方向外側へ張り出した状態で固定ロックされ、これにより吊り金具が側溝に固定される。
【００１７】
本発明においては、上記曲げシャフトを半回転させると、上記偏心輪の１／３〜１／４程度が上記軸部の片側周面から径方向外側へ張り出し、この状態から上記曲げシャフトをさらに半回転させると、その張り出している偏心輪の部分が内側に引っ込み、該偏心輪と軸部が同径でストレートな棒の形態となるように構成してもよい。
【００１８】
【発明の実施の形態】
以下、本発明に係る吊り金具の実施形態について図１乃至図４を基に詳細に説明する。
【００１９】
図１は本発明の一実施形態である吊り金具の説明図であって、同図（ａ）はその吊り金具の断面図、同図（ｂ）は（ａ）中のＡ‐Ａ線断面図であり、図２は図１のＢ矢視図、図３は図１のＣ矢視図である。また、図４は図１の吊り金具を用いてＵ字溝を敷設する作業の説明図である。
【００２０】
図１の吊り金具１は、図４に示すＵ字溝５０その他の側溝を吊り上げる金具であって、軸部２を有する構造となっている。
【００２１】
軸部２は、金属丸棒から形成されるとともに、Ｕ字溝５０の吊り上げ作業時にＵ字溝側壁５０ａの横孔５１内に挿入される（図４参照）。尚、このＵ字溝側壁５０ａの横孔５１は、通常はＵ字溝５０の敷設現場等で開設されるが、それ以外の場所で横孔５１を開設してもよい。
【００２２】
軸部２には偏心貫通孔３が穿設されている。この偏心貫通孔３は、軸部２の軸心に対し偏心して設けられるとともに、その軸部２の前端面２ａから後端面２ｂに向かって穿設されて、軸部２の前後両端面２ａ、２ｂ間を貫通する構造となっている。
【００２３】
軸部２の偏心貫通孔３には金属製の曲げシャフト５が挿入されている。曲げシャフト５は、偏心貫通孔３への挿入前にあらかじめ偏心貫通孔３に挿入できる程度に中央付近を少し滑らかに曲げ、この曲げ形成後に偏心貫通孔３に挿入したものであって、その曲げを有したまま偏心貫通孔３内で回転できる構造となっている。
【００２４】
曲げシャフト５は、その一部、すなわち曲げの大きいシャフト中央部５ｃの片側周面が偏心貫通孔３の内壁に向かって張り出し強く接触している。このような曲げシャフト５の部分的な張り出しにより、曲げシャフト５と偏心貫通孔３との間には強い接触力が生じるため、その接触力を超える力が曲げシャフト５に加わらない限り、曲げシャフト５が簡単に回転することはない。
【００２５】
曲げシャフト５を回転させるための力については、曲げシャフト５の曲げ量を適宜変更することにより調節することができる。
【００２６】
例えば、偏心貫通孔３の孔内径を一定と考えたときに、曲げシャフト５の曲げ量を大きくした場合には、それだけシャフト中央部５ｃの張り出し量が大きくなり、そのシャフト中央部５ｃの片側周面が強い接触力で偏心貫通孔３の内壁に接触するので、比較的強い力を曲げシャフト５に加えないと曲げシャフト５は回転しない。
【００２７】
逆に、曲げシャフト５の曲げ量を小さくした場合には、シャフト中央部５ｃの張り出し量が小さくなり、それだけシャフト中央部５ｃの片側周面と偏心貫通孔３の内壁との間の接触力が弱まるから、比較的弱い力でも曲げシャフト５を回転させることができる。
【００２８】
曲げシャフト５の先端５ａは軸部２の前端面２ａから突出し、この突出した曲げシャフト５の先端５ａに偏心輪６が一体に取り付けられている。
【００２９】
偏心輪６は、曲げシャフト５と略同径の金属円板からなり、かつ、該曲げシャフト５の軸心に対し偏心して取り付けられている。
【００３０】
曲げシャフト５を所定の力で１回転させると、曲げシャフト５と一体に偏心輪６も１回転する。この際、偏心輪６は、曲げシャフト５の半回転でその１／３〜１／４程度が軸部２の片側周面から径方向外側へ張り出す（図２と図４の図上左側の吊り金具１‐１を参照）。この状態において曲げシャフト５をさらに半回転させると、上記の如く偏心輪６の張り出している部分が内側に引っ込み、偏心輪６と軸部２が同径でストレートな棒の形態となる（図４の図上右側の吊り金具１‐２を参照）。
【００３１】
曲げシャフト５の後端５ｂは軸部の後端面から突出し、この突出した曲げシャフトの後端５ｂには曲げシャフト５を回転させるときに握る操作レバー７が取り付けられている。
【００３２】
上記軸部２の後端外周側にはプレート８とワイヤ引っ掛け部９が設けられている。プレート８は、長方形の金属製板ブロックからなり、かつ、軸部２と略直角に交わるように、該軸部２の後端面２ｂより少し内側に入った位置に溶接で固定されている。また、このプレート８の表面側、すなわち軸部２の後端が突出している面側には、プレート８と同様な金属製板ブロックからなるフランジ１０が垂直に溶接で固定されており、このフランジ１０の部分に上記ワイヤ引っ掛け部９が設けられている。
【００３３】
ワイヤ引っ掛け部９の具体的な構成については各種考えられるが、本実施形態では、その具体的な構造例として、フランジ１０にその表裏面を貫通するワイヤ通し孔９‐１を設け、このワイヤ通し孔９‐１にシャックル６１を使ってＵ字溝５０を吊り上げるためのワイヤ６０を引っ掛けるという構造を採用している。
【００３４】
次に、上記の如く構成された吊り金具の使用例等について図１と図４を用いて説明する。
【００３５】
図１の吊り金具を用いてＵ字溝を吊り上げ所定の場所に敷設する際は、図４に示したように、まず吊り金具１を少なくとも２つ用意し、かつ、Ｕ字溝５０の両側壁５０ａ、５０ａに横孔５１‐１、５１‐２をそれぞれ穿設する。
【００３６】
このとき、吊り上げバランスとの関係から、横孔５１‐１、５１‐２は水平で互いに対向し合うように穿孔形成される。
【００３７】
また、横孔５１‐１、５１‐２の径については、Ｕ字溝吊り上げ時のガタツキをできる限り少なくする必要性と、後で吊り金具１の軸部２を横孔５１‐１、５１‐２に挿入する際の作業性との関係から、適宜決定される。
【００３８】
横孔を形成した後は、その横孔５１‐１、５１‐２のそれぞれに吊り金具１‐１、１‐２をセットする。
【００３９】
このセット作業は、Ｕ字溝５０の内側から吊り金具１‐１の軸部２を該Ｕ字溝側壁５０ａの横孔５１‐１に挿入すればよい。吊り金具１‐２についても同様である。
【００４０】
その際、図４に示した吊り金具１‐２のように、その軸部２先端の偏心輪６は軸部２の片側周面から径方向外側へ少しも張り出さないように配置しておく。図１には偏心輪６が最大に張り出した状態が示されているが、この状態では、その張り出している偏心輪６が横孔５１の縁部に引っ掛かってしまい、軸部２を横孔５１に挿入することができないからである。
【００４１】
図１のように最大に張り出している偏心輪６を内側に引っ込めるには、操作レバー７を握って曲げシャフト５を半回転させればよい。そうすると、偏心輪６と軸部２が同径でストレートな棒の形態となるから、軸部２より少しだけ大きい径の横孔５１でも、これにスムーズに吊り金具１の軸部２を挿入セットすることが可能である（図４の図上右側の吊り金具１‐２参照）。また、この挿入セット状態において、少なくとも軸部２先端の偏心輪６全体がＵ字溝５０の外側に突出するものとする。
【００４２】
その後、操作レバー７を半回転させると、偏心輪６が軸部２の片側周面から径方向外側へ張り出す（図１または図４の図上左側の吊り金具１‐１参照）。このようになると、その張り出している偏心輪６のため吊り金具１の軸部２は横孔５１から抜けることができなくなる。
【００４３】
このとき、曲げシャフト５と偏心貫通孔３の内壁との間に働いている接触力を超える大きな力が曲げシャフト５に加わらない限り、曲げシャフト５が回転することはないから、この曲げシャフト５と一体の偏心輪６は、上記の如く軸部２の片側周面から張り出した状態でロックされ、かつ、ストッパーとなって吊り金具１全体の脱落を防止するものとなる。
【００４４】
以上の作業でＵ字溝５０への吊り金具１のセットが完了する。その後、吊り金具１のワイヤ通し孔９‐１にシャックル６１を使ってワイヤ６０を引っ掛ければ、そのワイヤ６０でＵ字溝５０をバランスよく吊り上げ所定の場所に敷設することが可能となる。
【００４５】
このとき、吊り金具１はいずれもＵ字溝５０の内側にセットされ、Ｕ字溝５０の内側をワイヤ６０で吊る状態となるから、図４のように民家の塀７０や建物の外壁等の近くにＵ字溝５０を敷設しなければならない場合でも、Ｕ字溝５０を吊り上げているワイヤ６０が民家の塀等に引っ掛かって邪魔になることはなく、Ｕ字溝５０の敷設作業性がよい。
【００４６】
上記実施形態の吊り金具１では、軸部２に偏心貫通孔３を設け、この偏心貫通孔３に挿入されるシャフトとして曲げシャフト５を採用した。このため、曲げシャフト５はその一部の片側周面が偏心貫通孔３の内壁に向かって張り出し強く接触し、その張り出しによる接触力を超える強い力が曲げシャフト５に加わらない限り、曲げシャフト５が容易に回転し動くことはないことから、曲げシャフト５を偏心貫通孔３に挿入するだけの簡単な構造で、曲げシャフト５先端の偏心輪６を軸部２の片側周面から径方向外側へ張り出した状態で固定ロックすることができ、この種の吊り金具１を側溝へ固定するための固定ロック構造の簡略化を図れる。
【００４７】
上記実施形態の吊り金具１によると、Ｕ字溝５０の内側からそのＵ字溝側壁５０ａの横孔５１に軸部２が挿入される構造と、この軸部２の後端外周に一体にワイヤ引っ掛け部９が設けられる構造を採用した。このため、Ｕ字溝５０の内側をワイヤ６０で吊る構造となることから、民家の塀や建物の外壁等の近くにＵ字溝５０を敷設しなければならない場合でも、そのＵ字溝５０を吊り上げているワイヤ６０が民家の塀等に引っ掛かって邪魔になることはなく、Ｕ字溝の敷設作業性にも優れる。
【００４８】
上記実施形態の吊り金具１にあっては、Ｕ字溝５０の両側壁５０ａに開設された左右一対の横孔５１‐１、５１‐２にまたがって一つの軸部２を挿入する構造でなく、そのいずれか一方の一つの横孔５１‐１又は５１‐２に軸部２を挿入する構造を採るため、左右一対の横孔５１‐１、５１‐２の間隔、すなわちＵ字溝５０の溝幅によってＵ字溝の吊り上げが制限されることはなく、どのような溝幅のＵ字溝でも吊り上げることができ、使い勝手がよい。
【００４９】
尚、上記実施形態では、Ｕ字溝５０を吊り金具１で吊り上げる例について説明したが、この吊り金具はＵ字溝５０以外の他の側溝を吊り上げる際に用いることもできる。
【００５０】
【発明の効果】
本発明にあっては、以下の効果を奏する。
【００５１】
（１）本発明では、軸部に偏心貫通孔を設け、この偏心貫通孔に挿入されるシャフトとして曲げシャフトを採用した。このため、曲げシャフトはその一部の片側周面が偏心貫通孔の内壁に向かって張り出し強く接触し、その張り出しによる接触力を超える強い力が曲げシャフトに加わらない限り、曲げシャフトが容易に回転し動くことはない。よって、上記のように曲げシャフトを偏心貫通孔に挿入するだけの簡単な構造で、曲げシャフト先端の偏心輪を軸部の片側周面から径方向外側へ張り出した状態で固定ロックすることができ、この種の吊り金具を側溝へ固定するための固定ロック構造の簡略化を図れる。また、吊り金具を側溝に固定する際に従来のようなロッドの押し込み作業を必要とせず、上記曲げシャフトを回転させるだけで吊り金具を側溝に固定することができるから、吊り金具の固定の作業性にも優れる。
【００５２】
（２）本発明においては、側溝の内側からその側溝壁の横孔に軸部が挿入される構造と、この軸部の後端外周に一体にワイヤ引っ掛け部が設けられる構造を採用した。このため、側溝の内側をワイヤで吊る構造となることから、民家の塀や建物の外壁等の近くに側溝を敷設しなければならない場合でも、その側溝を吊り上げているワイヤが民家の塀等に引っ掛かって邪魔になることはなく、側溝の敷設作業性に優れた吊り金具を提供することができる。
【００５３】
（３）本発明によると、側溝の両側溝壁に開設された左右一対の横孔にまたがって一つの軸部が挿入される構造でなく、そのいずれか一方の一つの横孔に軸部が挿入される構造を採用したため、左右一対の横孔の間隔、すなわち側溝の溝幅によって側溝の吊り上げが制限されることはなく、どのような溝幅の側溝にも対応することができる。
【図面の簡単な説明】
【図１】図１は本発明の一実施形態である吊り金具の説明図であって、同図（ａ）はその吊り金具の断面図、同図（ｂ）は（ａ）中のＡ‐Ａ線断面図である。
【図２】図１のＢ矢視図。
【図３】図１のＣ矢視図。
【図４】図１の吊り金具を用いてＵ字溝を敷設する作業の説明図。
【図５】従来の吊り金具の説明図。
【符号の説明】
１、１‐１、１‐２  吊り金具
２  軸部
２ａ  軸部の前端面
２ｂ  軸部の後端面
３  偏心貫通孔
５  曲げシャフト
５ａ  曲げシャフトの先端
５ｂ  曲げシャフトの後端
５ｃ  曲げシャフトのシャフト中央部
６  偏心輪
７  操作レバー
８  プレート
９  ワイヤ引っ掛け部
９‐１  ワイヤ通し孔
１０  フランジ
２０  スリーブ
２１‐１、２１‐２  ロッド
５０  Ｕ字溝
５０ａ  Ｕ字溝の側壁
５１  ５１‐１、５１‐２  横孔
６０  ワイヤ
６１  シャックル
７０  民家の塀
【図１】
2004307126.tif 000003
【図２】
2004307126.tif 000004
【図３】
2004307126.tif 000005
【図４】
2004307126.tif 000006
【図５】
2004307126.tif 000007